(57)【要約】【課題】  電子バリュー情報の管理を移動通信端末でなく決済サーバで行ない、決済を実行する決済システム、決済サーバ、決済端末、バリュー管理装置、移動体通信端末、決済方法およびプログラムを提供する。【解決手段】  決済サーバ１０１は、電子バリュー情報の更新を管理し、バリュー管理サーバ１０３からの決済要求を受け付けた移動体通信端末１０２は、決済サーバ１０１により管理されている電子バリュー情報に基づいて決済を行なう。【選択図】  図１
2006309489.tif 000002
【特許請求の範囲】
【請求項１】
バリュー管理サーバと、移動体通信端末と、決済サーバと、を含む決済システムであって、
前記決済サーバは、電子バリュー情報の更新を管理し、前記バリュー管理サーバからの決済要求を受け付けた前記移動体通信端末は、前記決済サーバにより管理されている前記電子バリュー情報に基づいて決済を行なうことを特徴とする決済システム。
【請求項２】
バリュー管理サーバと、非接触ＩＣを備えた移動体通信端末と、決済サーバと、非接触ＩＣカード用リーダ・ライタを備えた決済端末と、を含む決済システムであって、
前記決済サーバは、電子バリュー情報の更新を管理し、前記移動体通信端末は、前記非接触ＩＣにより前記決済端末と認証情報を送受信し、前記バリュー管理サーバからの決済要求を受け付けた前記移動体通信端末は、前記決済サーバにより管理されている前記電子バリュー情報に基づいて決済を行なうことを特徴とする決済システム。
【請求項３】
バリュー管理サーバと、移動体通信端末と、決済サーバと、を含む決済システムであって、
前記決済サーバは、電子バリュー情報の更新を管理し、その電子バリュー情報は、前記移動体通信端末にも記憶され、定期的に前記決済サーバとの間で、情報を交換して、記憶された前記電子バリュー情報の有効性を確認し、前記バリュー管理サーバからの決済要求を受け付けた前記移動体通信端末は、有効性が確認されている記憶された前記電子バリュー情報に基づいて決済を行なうことを特徴とする決済システム。
【請求項４】
前記決済サーバは、前記移動体通信端末による電子バリュー情報を利用した決済を禁止する設定が行なわれることを特徴とする請求項１から３のいずれか１項に記載の決済システム。
【請求項５】
前記決済サーバは、前記電子バリュー情報の有効性を確認するための情報の交換を禁止する設定が行なわれることを特徴とする請求項３記載の決済システム。
【請求項６】
複数の移動体通信端末と、決済サーバと、を含む決済システムであって、
前記決済サーバは、電子バリュー情報の更新を管理し、一の移動体通信端末からの決済要求を受け付けた他の移動体通信端末は、前記決済サーバにより管理されている前記電子バリュー情報に基づいて決済を行なうことを特徴とする決済システム。
【請求項７】
複数の移動体通信端末と、決済サーバと、を含む決済システムであって、
前記決済サーバは、電子バリュー情報の更新を管理し、その電子バリュー情報は、前記移動体通信端末にも記憶され、定期的に前記決済サーバとの間で、情報を交換して、記憶された前記電子バリュー情報の有効性を確認し、一の移動体通信端末からの決済要求を受け付けた他の移動体通信端末は、有効性が確認されている記憶された前記電子バリュー情報に基づいて決済を行なうことを特徴とする決済システム。
【請求項８】
遠隔操作で前記決済サーバが管理している前記電子バリュー情報を用いて、個人間取引を行なうことを特徴とする請求項１から７のいずれか１項に記載の決済システム。
【請求項９】
電子バリュー情報の更新を管理し、決済要求を受け付けた移動体通信端末に、管理されている前記電子バリュー情報に基づいて決済を行なわせることを特徴とする決済サーバ。
【請求項１０】
電子バリュー情報の更新を管理し、その電子バリュー情報は、移動体通信端末にも記憶され、定期的に前記移動体通信端末との間で、情報を交換して、記憶された前記電子バリュー情報の有効性を確認し、決済要求を受け付けた前記移動体通信端末に、有効性が確認されている記憶された前記電子バリュー情報に基づいて決済を行なわせることを特徴とする決済サーバ。
【請求項１１】
前記移動体通信端末による電子バリュー情報を利用した決済を禁止する設定が行なわれることを特徴とする請求項９または１０記載の決済サーバ。
【請求項１２】
前記電子バリュー情報の有効性を確認するための情報の交換を禁止する設定が行なわれることを特徴とする請求項１０記載の決済サーバ。
【請求項１３】
非接触ＩＣカード用リーダ・ライタにより、決済サーバにより管理されている前記電子バリュー情報に基づいて決済を行なう移動体通信端末の非接触ＩＣと認証情報を送受信することを特徴とする決済端末。
【請求項１４】
移動体通信端末に決済要求を送り、決済サーバにより管理されている電子バリュー情報に基づいて決済を行なうことを特徴とするバリュー管理装置。
【請求項１５】
決済要求を受け付け、決済サーバにより管理されている前記電子バリュー情報に基づいて決済を行なうことを特徴とする移動体通信端末。
【請求項１６】
非接触ＩＣを備え、非接触ＩＣカード用リーダ・ライタを備えた決済端末と認証情報を送受信し、決済要求を受け付け、決済サーバにより管理されている前記電子バリュー情報に基づいて決済を行なうことを特徴とする移動体通信端末。
【請求項１７】
決済サーバにより管理されている前記電子バリュー情報を記憶し、定期的に前記決済サーバとの間で、情報を交換して、記憶された前記電子バリュー情報の有効性を確認し、決済要求を受け付、有効性が確認されている記憶された前記電子バリュー情報に基づいて決済を行なうことを特徴とする移動体通信端末。
【請求項１８】
バリュー管理サーバと、移動体通信端末と、決済サーバと、を利用した決済方法であって、
前記決済サーバが、電子バリュー情報の更新を管理するステップを有し、
前記バリュー管理サーバからの決済要求を受け付けた前記移動体通信端末が、前記決済サーバにより管理されている前記電子バリュー情報に基づいて決済を行なうステップを有することを特徴とする決済方法。
【請求項１９】
バリュー管理サーバと、非接触ＩＣを備えた移動体通信端末と、決済サーバと、非接触ＩＣカード用リーダ・ライタを備えた決済端末と、を利用した決済方法であって、
前記決済サーバが、電子バリュー情報の更新を管理するステップを有し、
前記移動体通信端末が、前記非接触ＩＣにより前記決済端末と認証情報を送受信するステップと、
前記バリュー管理サーバからの決済要求を受け付けるステップと、
前記決済サーバにより管理されている前記電子バリュー情報に基づいて決済を行なうステップと、を有することを特徴とする決済方法。
【請求項２０】
バリュー管理サーバと、移動体通信端末と、決済サーバと、を利用した決済方法であって、
前記決済サーバが、電子バリュー情報の更新を管理するステップと、
その電子バリュー情報は、前記移動体通信端末にも記憶するステップと、を有し、
定期的に前記決済サーバとの間で、情報を交換して、記憶された前記電子バリュー情報の有効性を確認するステップを有し、
前記バリュー管理サーバからの決済要求を受け付けた前記移動体通信端末が、有効性が確認されている記憶された前記電子バリュー情報に基づいて決済を行なうステップを有することを特徴とする決済方法。
【請求項２１】
前記決済サーバは、前記移動体通信端末による電子バリュー情報を利用した決済を禁止する設定が行なわれることを特徴とする請求項１８から２０のいずれか１項に記載の決済方法。
【請求項２２】
前記決済サーバに、前記電子バリュー情報の有効性を確認するための情報の交換を禁止する設定が行なわれるステップをさらに有することを特徴とする請求項２１記載の決済方法。
【請求項２３】
複数の移動体通信端末と、決済サーバと、を利用した決済方法であって、
前記決済サーバが、電子バリュー情報の更新を管理するステップを有し、
一の移動体通信端末からの決済要求を受け付けた他の移動体通信端末は、前記決済サーバにより管理されている前記電子バリュー情報に基づいて決済を行なうステップを有することを特徴とする決済方法。
【請求項２４】
複数の移動体通信端末と、決済サーバと、を利用した決済方法であって、
前記決済サーバが、電子バリュー情報の更新を管理するステップと、
その電子バリュー情報を、前記移動体通信端末に記憶するステップと、を有し、
定期的に前記決済サーバと前記移動体通信端末の間で、情報を交換して、記憶された前記電子バリュー情報の有効性を確認するステップを有し、
一の移動体通信端末からの決済要求を受け付けた他の移動体通信端末が、有効性が確認されている記憶された前記電子バリュー情報に基づいて決済を行なうステップを有することを特徴とする決済方法。
【請求項２５】
遠隔操作で前記決済サーバが管理している前記電子バリュー情報を用いて、個人間取引を行なうことを特徴とする請求項１８から２４のいずれか１項に記載の決済方法。
【請求項２６】
請求項１８から２４のいずれか１項に記載の決済方法の処理手順を実行することを特徴とするプログラム。
【発明の詳細な説明】
【技術分野】
【０００１】
本発明は、移動体通信端末等を用いた電子バリューによる決済を実現する決済システム、決済サーバ、決済端末、バリュー管理装置、移動体通信端末、決済方法およびプログラムに関する。
【背景技術】
【０００２】
従来、ＵＲＬ（ HYPERLINK "http://www.edy.jp)にあるようにＥｄｙ" http://www.edy.jp）にあるようにＥｄｙ（登録商標）と呼ばれる電子マネーシステムが携帯電話機等を用いて利用可能であった。
【０００３】
その電子マネーシステムにおいては、携帯電話機内に設けられた非接触ＩＣに電子バリュー情報が書き込まれ、決済端末であるレジで決済を行なう際、レジと携帯電話機の間で電子バリュー情報を交換することで商品等の購入に関する決済が実現されていた。
【０００４】
その処理の詳細なフローは、図６を参照すると、まず、電子マネーにより商品等の購入を行なうと意図するユーザが、自身が利用する移動体通信端末である携帯電話機１０２に電子バリュー情報を付与する（ステップＳ６０１）。これは、チャージ専用機等から貨幣との交換によって行なわれたり、クレジットカードを用いてインターネット上で行なわれたりその他種々の公知の技術が用いられてよい。なお、電子バリュー情報は、携帯電話機１０２に内蔵された非接触ＩＣに格納される。
【０００５】
次に、ユーザがバリュー管理サーバ１０３側にある決済端末のリーダライタに携帯電話機１０２をかざすと、携帯電話機１０２は、バリュー管理サーバ１０３に認証情報を送信する（ステップＳ６０２）。なお、ここで、バリュー管理サーバ１０３は、決済端末であるレジ等を管理するサーバであり、通常、コンビニエンス・ストア等の店舗内に設けられる。
【０００６】
バリュー管理サーバ１０３は、携帯電話機１０２の認証を行ない、正常に認証されたか否かの情報を携帯電話機１０２に対して返信する（ステップＳ６０３）。
【０００７】
この後、バリュー管理サーバ１０３側にある決済端末から携帯電話機１０２に対して、決済要求が送られる（ステップＳ６０４）。
【０００８】
バリュー管理サーバ１０３側にある決済端末から決済要求を受け付けた携帯電話機１０２は、所定のアプリケーションによって電子バリュー情報を変更する（ステップＳ６０５）。これにより、購入しようとする商品等の価格分のバリューが減じられる。
【０００９】
携帯電話機１０２は、電子バリュー情報の変更をバリュー管理サーバ１０３側に通知して確認をとる（ステップＳ６０５）。
【００１０】
バリュー管理サーバ１０３は、上記のステップＳ６０５で通知された電子バリュー情報の変更情報を蓄積しておき、所定の間隔ないしタイミングで決済サーバ１０４と連絡をとり、バッチ処理により電子バリュー情報の変更情報を決済サーバ１０４に送信する（ステップＳ６０６）。これにより、バリュー決済が完了する。なお、決済サーバ１０４とは、例えば、電子マネーサービス事業者側の施設に設けられるサーバである。
【００１１】
ここで、電子銀行サーバは、電子口座内の電子バリュー額とともに、移動機内のＵＩＭに格納された電子バリュー額を記憶しており、電子バリューを用いた取引の内容に応じて、これを更新することで、セキュリティを確保するとともに、効率性を向上させる電子バリューシステムを提供することができる技術が提案されている（例えば、特許文献１参照）。
【特許文献１】特開２００１−３４４５３７号公報
【発明の開示】
【発明が解決しようとする課題】
【００１２】
しかしながら、上述した従来例においては次のような問題点があった。
【００１３】
電子バリュー情報は、携帯電話機１０２に内蔵された非接触ＩＣに格納されるため、電子バリュー情報の管理は、電子マネーサービス事業者体側からみれば、携帯電話機１０２に渡した時点のバリューを把握するのが限界であり、その後のバリューの推移については、バッチ処理によるバリュー管理サーバ１０３からの電子バリュー情報の変更情報に依拠せざるを得なかった。
【００１４】
一方、移動通信端末については、通話や電子メール等の機能を実現するため、本来的に、ネットワークに接続する機構が備わっている。
【００１５】
さらに、電子銀行サーバ等で電子バリュー情報の変更情報を持ち、移動通信端末に格納されている電子バリュー情報との照合を行ない、セキュリティを高めて電子バリュー情報の不正書換を防止しても、電子バリュー情報が移動通信端末自身に格納されていることに起因する不都合を回避することはできない。
【００１６】
そこで、本発明は、電子バリュー情報の管理を移動通信端末でなく決済サーバで行ない、決済を実行する決済システム、決済サーバ、決済端末、バリュー管理装置、移動体通信端末、決済方法およびプログラムを提供することを目的とする。
【課題を解決するための手段】
【００１７】
請求項１記載の発明は、バリュー管理サーバと、移動体通信端末と、決済サーバと、を含む決済システムであって、決済サーバは、電子バリュー情報の更新を管理し、バリュー管理サーバからの決済要求を受け付けた移動体通信端末は、決済サーバにより管理されている電子バリュー情報に基づいて決済を行なうことを特徴とする決済システムである。
【００１８】
請求項２記載の発明は、バリュー管理サーバと、非接触ＩＣを備えた移動体通信端末と、決済サーバと、非接触ＩＣカード用リーダ・ライタを備えた決済端末と、を含む決済システムであって、決済サーバは、電子バリュー情報の更新を管理し、移動体通信端末は、非接触ＩＣにより決済端末と認証情報を送受信し、バリュー管理サーバからの決済要求を受け付けた移動体通信端末は、決済サーバにより管理されている電子バリュー情報に基づいて決済を行なうことを特徴とする決済システムである。
【００１９】
請求項３記載の発明は、バリュー管理サーバと、移動体通信端末と、決済サーバと、を含む決済システムであって、決済サーバは、電子バリュー情報の更新を管理し、その電子バリュー情報は、移動体通信端末にも記憶され、定期的に決済サーバとの間で、情報を交換して、記憶された電子バリュー情報の有効性を確認し、バリュー管理サーバからの決済要求を受け付けた移動体通信端末は、有効性が確認されている記憶された電子バリュー情報に基づいて決済を行なうことを特徴とする決済システムである。
【００２０】
請求項４記載の発明は、請求項１から３のいずれか１項に記載の決済システムにおいて、決済サーバは、移動体通信端末による電子バリュー情報を利用した決済を禁止する設定が行なわれることを特徴とする。
【００２１】
請求項５記載の発明は、請求項３記載の決済システムにおいて、決済サーバは、電子バリュー情報の有効性を確認するための情報の交換を禁止する設定が行なわれることを特徴とする。
【００２２】
請求項６記載の発明は、複数の移動体通信端末と、決済サーバと、を含む決済システムであって、決済サーバは、電子バリュー情報の更新を管理し、一の移動体通信端末からの決済要求を受け付けた他の移動体通信端末は、決済サーバにより管理されている電子バリュー情報に基づいて決済を行なうことを特徴とする決済システムである。
【００２３】
請求項７記載の発明は、複数の移動体通信端末と、決済サーバと、を含む決済システムであって、決済サーバは、電子バリュー情報の更新を管理し、その電子バリュー情報は、移動体通信端末にも記憶され、定期的に決済サーバとの間で、情報を交換して、記憶された電子バリュー情報の有効性を確認し、一の移動体通信端末からの決済要求を受け付けた他の移動体通信端末は、有効性が確認されている記憶された電子バリュー情報に基づいて決済を行なうことを特徴とする決済システムである。
【００２４】
請求項８記載の発明は、請求項１から７のいずれか１項に記載の決済システムにおいて、遠隔操作で決済サーバが管理している電子バリュー情報を用いて、個人間取引を行なうことを特徴とする。
【００２５】
請求項９記載の発明は、電子バリュー情報の更新を管理し、決済要求を受け付けた移動体通信端末に、管理されている電子バリュー情報に基づいて決済を行なわせることを特徴とする決済サーバである。
【００２６】
請求項１０記載の発明は、電子バリュー情報の更新を管理し、その電子バリュー情報は、移動体通信端末にも記憶され、定期的に移動体通信端末との間で、情報を交換して、記憶された電子バリュー情報の有効性を確認し、決済要求を受け付けた移動体通信端末に、有効性が確認されている記憶された電子バリュー情報に基づいて決済を行なわせることを特徴とする決済サーバである。
【００２７】
請求項１１記載の発明は、請求項９または１０記載の決済サーバにおいて、移動体通信端末による電子バリュー情報を利用した決済を禁止する設定が行なわれることを特徴とする。
【００２８】
請求項１２記載の発明は、請求項１０記載の決済サーバにおいて、電子バリュー情報の有効性を確認するための情報の交換を禁止する設定が行なわれることを特徴とする。
【００２９】
請求項１３記載の発明は、非接触ＩＣカード用リーダ・ライタにより、決済サーバにより管理されている電子バリュー情報に基づいて決済を行なう移動体通信端末の非接触ＩＣと認証情報を送受信することを特徴とする決済端末である。
【００３０】
請求項１４記載の発明は、移動体通信端末に決済要求を送り、決済サーバにより管理されている電子バリュー情報に基づいて決済を行なうことを特徴とするバリュー管理装置である。
【００３１】
請求項１５記載の発明は、決済要求を受け付け、決済サーバにより管理されている電子バリュー情報に基づいて決済を行なうことを特徴とする移動体通信端末である。
【００３２】
請求項１６記載の発明は、非接触ＩＣを備え、非接触ＩＣカード用リーダ・ライタを備えた決済端末と認証情報を送受信し、決済要求を受け付け、決済サーバにより管理されている電子バリュー情報に基づいて決済を行なうことを特徴とする移動体通信端末である。
【００３３】
請求項１７記載の発明は、決済サーバにより管理されている電子バリュー情報を記憶し、定期的に決済サーバとの間で、情報を交換して、記憶された電子バリュー情報の有効性を確認し、決済要求を受け付、有効性が確認されている記憶された電子バリュー情報に基づいて決済を行なうことを特徴とする移動体通信端末である。
【００３４】
請求項１８記載の発明は、バリュー管理サーバと、移動体通信端末と、決済サーバと、を利用した決済方法であって、決済サーバが、電子バリュー情報の更新を管理するステップを有し、バリュー管理サーバからの決済要求を受け付けた移動体通信端末が、決済サーバにより管理されている電子バリュー情報に基づいて決済を行なうステップを有することを特徴とする決済方法である。
【００３５】
請求項１９記載の発明は、バリュー管理サーバと、非接触ＩＣを備えた移動体通信端末と、決済サーバと、非接触ＩＣカード用リーダ・ライタを備えた決済端末と、を利用した決済方法であって、決済サーバが、電子バリュー情報の更新を管理するステップを有し、移動体通信端末が、非接触ＩＣにより決済端末と認証情報を送受信するステップと、バリュー管理サーバからの決済要求を受け付けるステップと、決済サーバにより管理されている電子バリュー情報に基づいて決済を行なうステップとを有することを特徴とする決済方法である。
【００３６】
請求項２０記載の発明は、バリュー管理サーバと、移動体通信端末と、決済サーバと、を利用した決済方法であって、決済サーバが、電子バリュー情報の更新を管理するステップと、その電子バリュー情報は、移動体通信端末にも記憶するステップとを有し、定期的に決済サーバとの間で、情報を交換して、記憶された電子バリュー情報の有効性を確認するステップを有し、バリュー管理サーバからの決済要求を受け付けた移動体通信端末が、有効性が確認されている記憶された電子バリュー情報に基づいて決済を行なうステップを有することを特徴とする決済方法である。
【００３７】
請求項２１記載の発明は、請求項１８から２０のいずれか１項に記載の決済方法において、決済サーバは、移動体通信端末による電子バリュー情報を利用した決済を禁止する設定が行なわれることを特徴とする。
【００３８】
請求項２２記載の発明は、請求項２１記載の決済方法において、決済サーバに、電子バリュー情報の有効性を確認するための情報の交換を禁止する設定が行なわれるステップをさらに有することを特徴とする。
【００３９】
請求項２３記載の発明は、複数の移動体通信端末と、決済サーバと、を利用した決済方法であって、決済サーバが、電子バリュー情報の更新を管理するステップを有し、一の移動体通信端末からの決済要求を受け付けた他の移動体通信端末は、決済サーバにより管理されている電子バリュー情報に基づいて決済を行なうステップを有することを特徴とする決済方法である。
【００４０】
請求項２４記載の発明は、複数の移動体通信端末と、決済サーバと、を利用した決済方法であって、決済サーバが、電子バリュー情報の更新を管理するステップと、その電子バリュー情報を、移動体通信端末に記憶するステップとを有し、定期的に決済サーバと移動体通信端末の間で、情報を交換して、記憶された電子バリュー情報の有効性を確認するステップを有し、一の移動体通信端末からの決済要求を受け付けた他の移動体通信端末が、有効性が確認されている記憶された電子バリュー情報に基づいて決済を行なうステップを有することを特徴とする決済方法である。
【００４１】
請求項２５記載の発明は、請求項１８から２４のいずれか１項に記載の決済方法において、遠隔操作で決済サーバが管理している電子バリュー情報を用いて、個人間取引を行なうことを特徴とする。
【００４２】
請求項２６記載の発明は、請求項１８から２４のいずれか１項に記載の決済方法の処理手順を実行することを特徴とするプログラムである。
【発明の効果】
【００４３】
本発明の決済システム、決済サーバ、決済端末、バリュー管理装置、移動体通信端末、決済方法およびプログラムによれば、電子バリュー情報の管理を移動通信端末でなく決済サーバで行ない、決済を実行することができる。
【発明を実施するための最良の形態】
【００４４】
次に、本発明の第１の実施の形態について図を参照して詳細に説明する。
【００４５】
図１を参照すると、本実施の形態における決済システムは、決済サーバ１０１と、携帯電話機１０２と、バリュー管理サーバ１０３と、決済端末１０３−１から構成されている。また、決済サーバ１０１、携帯電話機１０２、バリュー管理サーバ１０３および決済端末１０３−１は、プログラム制御により動作し、決済サーバ１０１と携帯電話機１０２は、携帯電話機機ネットワーク２００を介して相互に接続されている。携帯電話機機ネットワーク２００は、好適には、移動体通信網であるが、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００４６】
決済サーバ１０１は、電子マネーサービス事業者側の局舎内等に設置される情報処理装置であり、決済処理部１０４と、ユーザ情報格納部１０５と、インターネット側インターフェース１０８と、携帯電話機ネットワークインターフェース１０９を備えている。
【００４７】
また、決済サーバ１０１のユーザ情報格納部１０５には、ユーザに用いられる貨幣価値を有する電子バリュー情報が格納されるユーザ側情報エリア１０６と店舗側情報エリア１０７が存在する。
【００４８】
携帯電話機１０２は、非接触ＩＣカードが内蔵された携帯電話機であり、ネットワークインターフェース１１０と、携帯通信処理部１１１と、非接触ＩＣ情報処理部１１２と、非接触ＩＣ１１３と、非接触ＩＣ外部インターフェース１１４を備えており、ユーザが保有する。さらに、無線通信部、表示部、操作部、音声処理部（マイク、スピーカ）、スピーカ、メモリ、制御部など既知の構成を備えている。なお、携帯電話機１０２は、移動体通信端末の一例であり、移動体通信端末であれば、ＰＤＡ、ノート型パーソナルコンピュータ、ＰＨＳ等で実現されていてもよいことはもちろんである。
【００４９】
バリュー管理サーバ１０３は、商品を販売するコンビニエンス・ストア等の店舗内に設置される情報処理装置であり、決済端末１０３−１を制御する機能を有しているとともに、認証部１１６と、決済要求部１１７と、決済確認部１１８を備えている。
【００５０】
決済端末１０３−１は、商品を販売するコンビニエンス・ストア等のレジ、あるいはレジの近傍に設置される情報処理装置であり、非接触ＩＣ外部インターフェース１１５を備えている。ここで、非接触ＩＣ外部インターフェース１１５は、リーダライタの一部を構成する機構として実現されてもよい。なお、決済端末１０３−１は、必ずしも独立した装置であることを必要としなく、上記のバリュー管理サーバ１０３の一部の機能に組み込まれることであってもよい。
【００５１】
ユーザは、携帯電話機１０２を利用して、インターネット側インターフェース１０８や携帯電話機ネットワークインターフェース１０９を利用して、ユーザ側情報エリア１０６内に持っている貨幣価値を持つ電子バリュー情報に基づく電子バリューを利用することができる。
【００５２】
次に、図２を参照して、本実施の形態における決済処理動作のフローについて説明する。以下では、予め決済サーバ１０１のユーザ情報格納部１０５のユーザ側情報エリア１０６には、所定の電子バリュー情報（例えば、５千円に相当する値）が格納されているものとする。これは、ユーザが何らかの手法により決済サーバ１０１に自己の購入した電子バリューの情報を登録することによって実現されるが、その手法は公知の種々の技術が用いられてよい。
【００５３】
まず、コンビニエンス・ストアの店舗内に陳列されている商品Ａ（価格３千円）の購入を所望するユーザがバリュー管理サーバ１０３側にある決済端末１０３−１のリーダライタに携帯電話機１０２をかざすと、携帯電話機１０２は、非接触ＩＣ外部インターフェース１１４から、バリュー管理サーバ１０３側の決済端末１０３−１に認証情報を送信する（ステップＳ２０１）。
【００５４】
バリュー管理サーバ１０３側の決済端末１０３−１は、非接触ＩＣ外部インターフェース１１５から認証情報を受信し、バリュー管理サーバ１０３の認証部１１６がその認証情報に基づいて携帯電話機１０２の認証を行ない、正常に認証されたか否かの情報を携帯電話機１０２に対して返信する（ステップＳ２０２）。これらのステップＳ２０１およびステップＳ２０２は、従来の認証処理動作と同様である。
【００５５】
この後、バリュー管理サーバ１０３側にある決済端末１０３−１から携帯電話機１０２に対して、決済要求が送られる（ステップＳ２０３）。この決済要求には、例えば、携帯電話機１０２の識別情報および消費される電子バリューの値（商品Ａの価格３千円）の情報等が付加され、バリュー管理サーバ１０３の決済要求部１１７により発行される。
【００５６】
携帯電話機１０２は、非接触ＩＣインターフェース１１４から決済要求を受け付け、一旦、非接触ＩＣ１１３で受信した後、非接触ＩＣ処理部１１２で処理し、携帯電話通信処理部１１１へ決済要求があった旨の信号を送る。
【００５７】
携帯電話通信処理部１１１で非接触ＩＣ処理部１１２から受信した信号を処理し、ネットワークインターフェース１１０から携帯電話機ネットワーク２００を介して、決済サーバ１０１に決済要求を送る（ステップＳ２０４）。
【００５８】
なお、従来は、このステップＳ２０４における段階で、バリュー管理サーバ１０３側にある決済端末から決済要求を受け付けた携帯電話機１０２は、携帯電話機１０２自身が、自機に格納されている電子バリュー情報を所定のアプリケーションによって変更していた、すなわち、５千円から商品分の３千円分のバリューが減じられた２千円が変更後の電子バリュー情報とされ、携帯電話機１０２自身に保存されていた。
【００５９】
図２に戻り、次に、決済サーバ１０１は、決済要求を携帯電話機ネットワークインターフェース１０９で受け付け、受け取った携帯電話機１０２の識別情報および消費される電子バリューの値（商品Ａの価格３千円）の情報等を決済処理部１０４で処理する（ステップＳ２０５）。
【００６０】
この際、決済サーバ１０１は、情報格納部１０５内のユーザ側情報エリア１０６から店舗側情報エリア１０７に電子バリューの値（商品Ａの価格３千円）を移し、処理を行なう。すなわち、予めユーザ側情報エリア１０６に、５千円に相当する値の電子バリュー情報が格納されている場合には、商品Ａの価格３千円分に相当する値の電子バリュー情報がユーザ側情報エリア１０６から店舗側情報エリア１０７に移される。したがって、ユーザ側情報エリア１０６には、減算された２千円に相当する値の電子バリュー情報が格納されることとなり、店舗側情報エリア１０７には、商品Ａの価格３千円分に相当する値の電子バリュー情報が格納されることとなる。
【００６１】
処理が終わった後、決済サーバ１０１は、携帯電話機ネットワークインターフェース１０９から携帯電話機ネットワーク２００を介して、携帯電話機１０２に決済の確認情報を送信する（ステップＳ２０６）。決済の確認情報は、店舗側情報エリア１０７に格納されている電子バリュー情報が利用されて生成される。
【００６２】
携帯電話機１０２は、決済の確認情報を受信し、内部で処理して、非接触ＩＣインターフェース１１４から、バリュー管理サーバ１０３に決済の確認情報を送り、（ステップＳ２０７）バリュー管理サーバ１０３の決済確認部１１８は、その決済の確認情報を受け取る。上記の一連のフローにより、決済処理を実現できる。
【００６３】
次に、本発明の第２の実施の形態について図を参照して詳細に説明する。
【００６４】
上記の本発明の第１の実施の形態においては、正常状態での決済システムの使用方法を示したが、本実施の形態では、例えば、携帯電話機１０２を紛失等してしまった後、ユーザの所定の操作により決済サーバ１０１の携帯電話機ネットワークインターフェース１０９からの電子バリューの利用を禁止する場合を想定する。
【００６５】
図３を参照して、本実施の形態における決済禁止の処理動作のフローについて説明する。
【００６６】
まず、コンビニエンス・ストアの店舗内に陳列されている商品Ａ（価格３千円）の購入を所望するユーザがバリュー管理サーバ１０３側にある決済端末１０３−１のリーダライタに携帯電話機１０２をかざすと、携帯電話機１０２は、非接触ＩＣ外部インターフェース１１４から、バリュー管理サーバ１０３側の決済端末１０３−１に認証情報を送信する（ステップＳ３０１）。
【００６７】
バリュー管理サーバ１０３側の決済端末１０３−１は、非接触ＩＣ外部インターフェース１１５から認証情報を受信し、バリュー管理サーバ１０３の認証部１１６がその認証情報に基づいて携帯電話機１０２の認証を行ない、正常に認証されたか否かの情報を携帯電話機１０２に対して返信する（ステップＳ３０２）。
【００６８】
この後、バリュー管理サーバ１０３側にある決済端末１０３−１から携帯電話機１０２に対して、決済要求が送られる（ステップＳ３０３）。この決済要求には、例えば、携帯電話機１０２の識別情報および消費される電子バリューの値（商品Ａの価格３千円）の情報等が付加されている。
【００６９】
携帯電話機１０２は、非接触ＩＣインターフェース１１４から決済要求を受け付け、一旦、非接触ＩＣ１１３で受信した後、非接触ＩＣ処理部１１２で処理し、携帯電話通信処理部１１１へ決済要求があった旨の信号を送る。
【００７０】
携帯電話通信処理部１１１で非接触ＩＣ処理部１１２から受信した信号を処理し、ネットワークインターフェース１１０から携帯電話機ネットワーク２００を介して、決済サーバ１０１に決済要求を送る（ステップＳ３０４）。
【００７１】
決済サーバ１０１は、決済要求を携帯電話機ネットワークインターフェース１０９で受け付け、決済処理部１０４で決済禁止の設定がなされているか否かを判定する。そして、決済禁止の設定がなされている場合には、決済処理を実行しない（ステップＳ３０５）。ここで、決済禁止の設定は、ユーザが携帯電話機１０２を紛失等してしまったことに気づいた時に、任意の情報処理装置からインターネットを介して決済サーバ１０１のインターネット側インターフェース１０８を通じて、決済サーバ１０１に携帯電話機１０２からの決済要求に基づく決済処理を実行しない設定をなすことによって行なわれる。また、携帯電話機１０２からのアクセスを無効にするプロビジョニングを実施することであってもよい。
【００７２】
決済サーバ１０１は、携帯電話機ネットワークインターフェース１０９から携帯電話機ネットワーク２００を介して、携帯電話機１０２に決済の否認情報を送信する（ステップＳ３０６）。
【００７３】
携帯電話機１０２は、決済の否認情報を受信し、内部で処理して、非接触ＩＣインターフェース１１４から、バリュー管理サーバ１０３に決済の否認情報を送る（ステップＳ３０７）。上記の一連のフローにより、携帯電話機１０２から要求された決済要求は拒絶され、決済が完了しない。これにより、安全に携帯電話機１０２での電子バリューの利用が実現できる。
【００７４】
次に、本発明の第３の実施の形態について図を参照して詳細に説明する。
【００７５】
本実施の形態の決済システムは、上記の第１の実施の形態と基本的な構成は同様であるので、重複する説明は省略する。バリュー情報が決済サーバ１０１のユーザ情報格納部１０５のユーザ側情報エリア１０６だけではなく、携帯電話機１０２の非接触ＩＣ１１３内部にも蓄積される点が上記の第１の実施の形態と異なる。
【００７６】
次に、図４を参照して、本実施の形態における決済処理動作のフローについて説明する。以下では、予め決済サーバ１０１のユーザ情報格納部１０５のユーザ側情報エリア１０６および携帯電話機１０２の非接触ＩＣ１１３には、所定の電子バリュー情報（例えば、５千円に相当する値）が格納されているものとする。これは、ユーザが何らかの手法により決済サーバ１０１および携帯電話機１０２に自己の購入した電子バリューの情報を登録することによって実現されるが、その手法は公知の種々の技術が用いられてよい。
【００７７】
まず、決済サーバ１０１は、携帯電話機ネットワークインターフェース１０９から携帯電話機ネットワーク２００を介して、携帯電話機１０２に電子バリュー情報の承認のためのポーリングにより問い合わせを行なう（ステップＳ４０１）。
【００７８】
携帯電話機１０２は、ネットワークインターフェース１１０からポーリングを受け付け、非接触ＩＣ処理部１１２で処理し、携帯電話通信処理部１１１へポーリングがあった旨の信号を送る。
【００７９】
携帯電話通信処理部１１１で非接触ＩＣ処理部１１２から受信した信号を処理し、ネットワークインターフェース１１０から携帯電話機ネットワーク２００を介して、決済サーバ１０１に応答（ＡＣＫ）を送り、これにより電子バリュー情報の承認がなされる（ステップＳ４０２、ステップＳ４０３）。すなわち、非接触ＩＣ１１３内の電子バリューも有効となるようにする。
【００８０】
次に、コンビニエンス・ストアの店舗内に陳列されている商品Ａ（価格３千円）の購入を所望するユーザがバリュー管理サーバ１０３側にある決済端末１０３−１のリーダライタに携帯電話機１０２をかざすと、携帯電話機１０２は、非接触ＩＣ外部インターフェース１１４から、バリュー管理サーバ１０３側の決済端末１０３−１に認証情報を送信する。バリュー管理サーバ１０３側の決済端末１０３−１は、非接触ＩＣ外部インターフェース１１５から認証情報を受信し、バリュー管理サーバ１０３の認証部１１６がその認証情報に基づいて携帯電話機１０２の認証を行ない、正常に認証されたか否かの情報を携帯電話機１０２に対して返信する。この後、バリュー管理サーバ１０３側にある決済端末１０３−１から携帯電話機１０２に対して、決済要求が送られる（ステップＳ４０４）。この決済要求には、例えば、携帯電話機１０２の識別情報および消費される電子バリューの値（商品Ａの価格３千円）の情報等が付加されている。
【００８１】
携帯電話機１０２は、非接触ＩＣインターフェース１１４から決済要求を受け付け、非接触ＩＣ１１３で受信した後、非接触ＩＣ処理部１１２で処理し、携帯電話機１０２自身が、自機に格納されている電子バリュー情報を所定のアプリケーションによって電子バリューの値が書き換えられる（ステップＳ４０５）。すなわち、５千円から商品分の３千円分のバリューが減じられた２千円が変更後の電子バリュー情報とされ、携帯電話機１０２自身に保存される。
【００８２】
携帯電話機１０２は、電子バリュー情報の変更をバリュー管理サーバ１０３側に通知して承認を得る（ステップＳ４０６）。
【００８３】
そして、決済サーバ１０１は、再度、繰り返して所定のタイミングで、携帯電話機ネットワークインターフェース１０９から携帯電話機ネットワーク２００を介して、携帯電話機１０２に電子バリュー情報の承認のためのポーリングにより問い合わせを行なう（ステップＳ４０７）。
【００８４】
携帯電話機１０２は、ネットワークインターフェース１１０からポーリングを受け付け、非接触ＩＣ処理部１１２で処理し、携帯電話通信処理部１１１へポーリングがあった旨の信号を送る。
【００８５】
携帯電話通信処理部１１１で非接触ＩＣ処理部１１２から受信した信号を処理し、ネットワークインターフェース１１０から携帯電話機ネットワーク２００を介して、決済サーバ１０１に書き換わった電子バリューの値の情報および応答（ＡＣＫ）を送り、これにより書き換わった電子バリュー情報の承認がなされる（ステップＳ４０８、ステップＳ４０９）。
【００８６】
決済サーバ１０１は、書き換わったバリューをユーザ側情報エリア１０６に反映させ、決済を終了させる（ステップＳ４１０）。すなわち、５千円から商品分の３千円分のバリューが減じられた２千円が変更後の電子バリュー情報とされユーザ側情報エリア１０６に格納される。
【００８７】
そして、決済サーバ１０１は、携帯電話機１０２に電子バリュー情報の承認のためのポーリングにより問い合わせを行ない、携帯電話機１０２は、決済サーバ１０１に応答（ＡＣＫ）を送る一連の処理を繰り返す（ステップＳ４１２、ステップＳ４１３）。
【００８８】
上記の実施の形態によれば、ユーザが商品購入に伴い、決済を実現したい場合は、携帯電話機を用いて、非接触ＩＣとバリュー管理サーバとの間だけで決済を実現することができる。
【００８９】
次に、本発明の第４の実施の形態について図を参照して詳細に説明する。
【００９０】
上記の本発明の第３の実施の形態においては、正常状態での決済システムの使用方法を示したが、本実施の形態では、例えば、携帯電話機１０２を紛失等してしまった後、ユーザのポーリングを停止させる所定の操作により決済サーバ１０１の携帯電話機ネットワークインターフェース１０９からの電子バリューの利用を禁止する場合を想定する。
【００９１】
図５を参照して、本実施の形態における決済禁止の処理動作のフローについて説明する。
【００９２】
まず、決済サーバ１０１は、携帯電話機ネットワークインターフェース１０９から携帯電話機ネットワーク２００を介して、携帯電話機１０２に電子バリュー情報の承認のためのポーリングにより問い合わせを行なう（ステップＳ５０１）。
【００９３】
携帯電話機１０２は、ネットワークインターフェース１１０からポーリングを受け付け、非接触ＩＣ処理部１１２で処理し、携帯電話通信処理部１１１へポーリングがあった旨の信号を送る。
【００９４】
携帯電話通信処理部１１１で非接触ＩＣ処理部１１２から受信した信号を処理し、ネットワークインターフェース１１０から携帯電話機ネットワーク２００を介して、決済サーバ１０１に応答（ＡＣＫ）を送り、これにより電子バリュー情報の承認がなされる（ステップＳ５０２、ステップＳ５０３）。すなわち、非接触ＩＣ１１３内の電子バリューも有効となるようにする。
【００９５】
携帯電話機１０２は、一定の期間、ネットワークインターフェース１１０からポーリングを受け付けないと、電子バリュー情報の承認がなされず、非接触ＩＣ１１３内の電子バリューは失効する（ステップＳ５０４）。
【００９６】
次に、コンビニエンス・ストアの店舗内に陳列されている商品Ａ（価格３千円）の購入を所望するユーザがバリュー管理サーバ１０３側にある決済端末１０３−１のリーダライタに携帯電話機１０２をかざすと、携帯電話機１０２は、非接触ＩＣ外部インターフェース１１４から、バリュー管理サーバ１０３側の決済端末１０３−１に認証情報を送信する。バリュー管理サーバ１０３側の決済端末１０３−１は、非接触ＩＣ外部インターフェース１１５から認証情報を受信し、バリュー管理サーバ１０３の認証部１１６がその認証情報に基づいて携帯電話機１０２の認証を行ない、正常に認証されたか否かの情報を携帯電話機１０２に対して返信する。この後、バリュー管理サーバ１０３側にある決済端末１０３−１から携帯電話機１０２に対して、決済要求が送られる（ステップＳ５０５）。
【００９７】
携帯電話機１０２は、非接触ＩＣ１１３内の電子バリューが失効しているので、内部で処理して、非接触ＩＣインターフェース１１４から、バリュー管理サーバ１０３に決済の否認情報を送る（ステップＳ５０６、ステップＳ５０７）。上記の一連のフローにより、バリュー管理サーバ１０３から要求された決済要求は拒絶され、決済が完了しない。これにより、安全に携帯電話機１０２での電子バリューの利用が実現できる。
【００９８】
上記の実施の形態によれば、決済サーバ１０１から携帯電話機１０２に強制失効を実行させる命令を発行することなく決済を禁止することができるので、ユーザは、手早く安全に決済を利用できる。特に、電子バリューの利用を禁止するために決済サーバ１０１から携帯電話ネットワークを利用して携帯電話機１０２に強制失効を実行させる命令を発行する場合において、携帯電話機１０２が圏外や電源ＯＦＦ等のときには命令が送受信されないのでそのような状況下で有効である。
【００９９】
次に、本発明の第５の実施の形態について説明する。複数の携帯電話機同士で、電子バリューの貸借ができるシステムである。決済サーバ１０１のユーザ情報格納部１０５には、ユーザに用いられる貨幣価値を有する電子バリュー情報が格納されるユーザ側情報エリア１０６と店舗側情報エリア１０７が存在するので、電子バリューを貸与した携帯電話機の店舗側情報エリア１０７に貸与した電子バリューの値を格納して、上記の各実施の形態に準じた処理を行なうことで実現可能である。
【０１００】
なお、上述する各実施の形態は、本発明の好適な実施の形態であり、本発明の要旨を逸脱しない範囲内において種々変更実施が可能である。例えば、上記の各実施の形態における決済サーバ１０１、携帯電話機１０２、バリュー管理サーバ１０３および決済端末１０３−１の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【０１０１】
上述する各実施の形態は、決済サーバ１０１、携帯電話機１０２、バリュー管理サーバ１０３および決済端末１０３−１が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【０１０２】
【図１】本発明の第１〜第４の実施形態における決済システムの概略構成図である。
【図２】本発明の第１の実施形態における決済処理のフローを示す図である。
【図３】本発明の第２の実施形態における決済禁止処理のフローを示す図である。
【図４】本発明の第３の実施形態における決済処理のフローを示す図である。
【図５】本発明の第４の実施形態における決済禁止処理のフローを示す図である。
【図６】従来の決済システムにおける決済処理のフローを示す図である。
【符号の説明】
【０１０３】
１０１    決済サーバ
１０２    携帯電話機
１０３    バリュー管理サーバ
１０３−１    決済端末
２００    携帯電話機機ネットワーク
１０４    決済処理部
１０５    ユーザ情報格納部
１０６    ユーザ側情報エリア
１０７    店舗側情報エリア
１０８    インターネット側インターフェース
１０９    携帯電話機ネットワークインターフェース
１１０    ネットワークインターフェース
１１１    携帯通信処理部
１１２    非接触ＩＣ情報処理部
１１３    非接触ＩＣ
１１４、１１５    非接触ＩＣ外部インターフェース
１１６    認証部
１１７    決済要求部
１１８    決済確認部
【図１】
2006309489.tif 000003
【図２】
2006309489.tif 000004
【図３】
2006309489.tif 000005
【図４】
2006309489.tif 000006
【図５】
2006309489.tif 000007
【図６】
2006309489.tif 000008